(57)【要約】救命筏のシェルターテントを可逆させる本救命／安全装置は、開放可能、展開可能で固定可能の開口、ハンドル、および安全ベルトを備える膨張格子からなる。この格子上に、シェルタ（８）と床（７）内に膨張する膜を含む袋（１１）が固定される。全体が、ボートの２側に置かれる締付け具装置により、重み要素を含み、取り外し可能にされる。雄締付け具は、ハンドル（４）と袋（１１）に固定され、雌締付け具は、棒に固定され、筏が膨張して内側が出ると、それを所定位置に再装着させる。
2004523424.tif 000002
【特許請求の範囲】
【請求項１】
ハンドルと安全ベルトとを備え、網を充填した編目に解放、展開及びロックできる開口を備える膨張格子からなる、救命筏のシェルタ  &#8211;  テントを可逆させる救命及び安全装置において、
前記装置は筏の２側に配設された締結手段により全体的に可逆し得るようになされ、
重り要素を固定安定化させ、取り外し可能にさせる手段から構成され、
格子（１）に取り外し可能に固定される少なくとも袋（１１）から構成され、この袋は２つの膜からなり、前記膜はシェルタ（８）内に膨張し、床（７）は格子（１）の少なくとも網（６）上に延長し、これら膜  &#8211;  シェルタ（８）は構造体（１２）（１９）（３７）により、ある手段により補強されその側面（１３）（１８）は他の袋（１１）に事前に含まれる、隣接空間に膨張固定し、そして、共通の多セル空間を設けるために、棒上で、格子（１）の底部にも固定する可能性も生ずる、空間を形成し、
編み目（２）の開口（３）は、ある手段により、装置の上側からまた下側から開放でき、
前記袋（１１）、ハンドル（４）は筏の２側に配設される締結具により固定される締結具を備え、締結具は、また筏の２側にも配設される床およびシェルタの周辺を受け入れ、
シェルタ（８）と床（７）のベースとともに袋（１１）は前記袋に含まれるペグパウチ付き地面係合締結具（１４）から構成されることを特徴とする、救命及び安全装置。
【請求項２】
前記膜形成シェルタ（８）は、側面に４つのパネル（１３）を有するＨ（１２）状の構造体により相互結合される二個の平行六面体内に延び、前記構造体は、それ自身半回り以上回転されるＨの中心棒の移動により折り畳まれて止め／直立柱全体を膜-シェルタとその前の膜-床で束状にされ、袋の内側に維持され、前記構造体は、Ｈ側で、水、ガス／空気または棒、管が充填されると補強され、等辺三角形状の膜のパネルは、構造体が引き上げられると、各々の側の個々のシェルタを形成する２つの前記三角形を互いに固定し、かつ格子または地面に結合されるシェルタのベースの周辺を固定することにより安全地帯の側を閉止させることを特徴とする、請求項１の装置。
【請求項３】
少なくとも２つの袋（１１）からの前記膜は、屋根を形成するＨの中心棒により互いに相互結合されるＨ（１２）状の少なくとも２つの構造体内に膨張し、前記構造体は、各Ｈの側で、水、ガス／空気または棒、管が充填されると補強され、側面を形成する等辺三角形（１３）状の膜のパネルは、構造体が引き上げられると、安全地帯の前記側面を閉止させ、これら側面は三角形（１３）前後に沿って固定され、トンネル状の多シェルタを形成するために上下の端部で構造体の２つの三角形（１３）を結合し、内側に置かれる前記平行六面体は内側突壁を形成することにより空間を離脱するように固定され、シェルタの周辺は格子または地面に固定されることを特徴とする、請求項１の装置。
【請求項４】
シェルタ（８）は、屋根を形成するＨの中心棒により毎回膨張する、Ｈ（１２）状の６つの構造体からなり、前記構造体は水、ガス／空気または棒、管が充填されると補強され、等辺三角形（１３）状の膜のパネルは、構造体が引き上げられると、安全地帯の側面を閉止させ、これら側面パネルは三角形の前後に沿って横パネルに固定され、安全地帯の屋根は数個のシェルタの全体を設置するために方形または隣接長方形要素の三角形の上側で一度、下側で一度固定され、内壁はまたそれらを離脱、引き上げさせる手段を生じ、これは入口／出口開口（３８）に使用される端部と同じで、シェルタのベースは格子にまたは地面に固定されることを特徴とする、請求項１の装置。
【請求項５】
これら止め／直立柱（２２）は、流体、棒、管を受け入れ得る折り目からなる、請求項１の装置。
【請求項６】
Ｈ（１２）状の前記構造体は、角錐（１９）としてスパイダーを形成し、これら膜-シェルタ（８）、床（７）とともに３つの側面（３７）を有する構造体は二重にされ、自動空気／ガス発生器によりまたは空気／ガス圧力-動力ポンプ（２０）により膨張される、請求項１の装置。
【請求項７】
床（７）の表面には、ボタン穴、スリット（２５）を備え、ハンドル（４）の通路とさせることを特徴とする、請求項１の装置。
【請求項８】
スパイダ（１９）状の前記構造体と３つの側面からなる前記構造体は、隣接空間に延びるアコーデオン（１７）付きパネルを備えることを特徴とする、請求項１の装置。
【請求項９】
袋は帆および櫂付き入れ子式マストを含むことを特徴とする、請求項１の装置。
【発明の詳細な説明】
【技術分野】
【０００１】
本発明は、筏上の生存条件を改善し、救命／安全性を改善し、さらに陸上とともに筏に固定されるシェルターテントを生じさせる、救命筏のシェルターテントを可逆させる救命／安全装置に関する。
【背景技術】
【０００２】
技術的背景によれば、書類ＰＣＴ／ＣＨ９９／００６１９の目的は、普通のボ-トが作動して、装置の下に固定される人を、それが延びると、装置に移動させ、解放可能、展開可能で固定可能な開口によりそこに留めて、難破した人に開口の１つを再接合するために編み目を把持させるようにした、海上に幅広い衝撃面を提供することにある。
また、必要により、装置をハンドルを介して手足により掴ませ安全ベルトを使用させる。
しかし、生存者は冷たい海の天候の影響、編み目を通過する波からも、日光からも保護されす、筏がその内側が開けば、難破した人はハンドルや安全ベルトを持てない。
【０００３】
また、技術的背景によれば、書類ＤＥ３２１０５９０Ａ１，２３．０３．８２は、編み目のない多置きブイで、その防水布が多数の開口を被覆し、全面に床を形成しない、外洋で使用される装置を開示する。シェルタは設けられるが、それらはユニットに位置されて、それらは固定され、互いに連絡できず、多空間を形成する。
【０００４】
子供は開口を摺動でき、生存者ははねに会い、水は防水布によどみそこにポケットを形成し、生存者がシェルタの下にいると、不均等を生ずることになり、多ブイは復帰され、この状態は、シェルタが負荷を平衡するように頭から尾まで配置されるという保証はないから、荒れ海で結合時には悪化する。反対に、恐慌状態では、残念ながら、このような作動を行うことはできず、多くの人は天候の影響を受けざるをえない。
【０００５】
現在、市場で入手できる救命ボ-トは、航空機滑空路やトボガンに乗る極く限られた人がいる小さい表面にのみ使用され、それらが共通方向に開かれるようにプレス-スタド状のリンク方式での熟練した折り畳みを必要とする。
【発明の開示】
【発明が解決しようとする課題】
【０００６】
従って、本発明の目的は、これらの欠点を解消できる救命／安全装置を提供することにある。
【課題を解決するための手段】
【０００７】
本発明の利点は、救命筏が、筏の適当な開口を必要としない装置上の選択位置の数個の空間または単一空間を相互接続することによって係合うできる取り外し可能な床、シェルタを形成するため筏の両側に分配された雄受け入れ締結具の使用により全体的に可逆にさせる点にある。
【０００８】
この柔軟性は次の特長により実現される：
ボ-トの両側に分配された締結具、
シェルタと床を含む取り外し可能な袋、
取り外し可能なハンドルと安全ベルト、および
取り外し可能な重み要素。
【０００９】
下記の選択による：
三角形を有する、Ｈ状の構造体、
蛇腹状のパネルを備える、３側面を有する構造体、および
蛇腹状のパネルを備える、スパイダ状の構造体。
【００１０】
本発明は、下記の図面を参照しての非限定例として述べる実施例の説明を読むことにより良く理解されよう。
【実施例】
【００１１】
実施例の非限定例において、本発明は、主として膨張可能な格子１からなり（図１）、これは膨張可能な分野で普通使用される手段により膨張され、その網６は、格子１上に分配される、解放可能、展開可能かつ固定可能な開口３，ハンドル４および安全ベルト５を備える編み目２が設けられている。
【００１２】
第１の工程において、難破および浸水中、人は、膨張される装置の下に固定し、開口３を解放し、装置に移動し、これら開口を固定する（図１）。
【００１３】
第２の工程において、遭難者は重み要素を所望位置に調節することにより筏を安定化する（図１２ａおよび図１２ｂ）。もし筏が回動すれば、筏が膨張すると取り付けられる安全ベルト５は編み目を介し見ることができる。遭難者はハンドル４と安全ベルト５を同時に離脱し、幅が十分ならば編み目２の網により、または開かれる開口３により、または編み目の締め付けに沿って、まず装置に移動する。
遭難者は、装置の新たな位置でハンドル４を固定し、袋の端部ついで他を離脱し、それ自身を中心に揺動して同じ路にさらし、締付け受入部３５または４５により装置の位置に固定し（図１１ｂ、１２ｂ）、床７を形成するようにした膜を膨張し（図１）、それら膜を、多少乾燥場所に置くためにヴェルクロ１０等この目的に設けられた手段により固定する。
【００１４】
第３工程において、遭難者は、シェルタ８または、個々または多シェルタの取り付けを構成する。遭難者は、床７に使用される膜を折り畳み、この例ではスパイダ１９状の構造体を捕捉し（図８）、圧力ポンプ２０を構造体の鼻片２４に接続し、管２１を水中にもぐらせ、それは床と格子の網の側面との間に摺動し得、構造体が堅くなるまでポンプ作動し、格子に固定されたヴェルクロ１０により網の縁部に２つの直立柱２２を固定してから、次の構造体に登り膨張させ、締付け具３１により保持された蛇腹１７を離脱し、第１構造体のこれら２つの取り外し可能な直立柱２２を解放してこれらを、第２構造体の上部にもうけたヴェルクロ１０で固定し、蛇腹１７が開かれて所要長さにする。
他の遭難者が次のシェルタにおり、彼らはより多くの空間を持つように決め、横パネル１８は、ヴェルクロ１０により隣接シェルタの屋根の下に上下に上げられて固定され、これらは装置に設けられたジッパ１６でシェルタのベースを固定する。それらは耐候状態にあり、ハンドル４を保持し、安全ベルト５に達する。もし水が進入すれば、床７の隅を持ち上げて空にできる。
【００１５】
陸地がみつかり、陸地でキャンプをしなければならないとの仮定において、１つまたは数個の袋１１を取り出して、袋の側面及び、シェルタ８と床７の周囲に配設された締目付け具、コード１４により陸地区域の内側でキャンプを設定することができる（図８）。
【００１６】
広げた袋に設置されるこの種のテントは、救命ボートと共に若しくは無しで使用するのに適し、この場合、雄締付け具ではなくコードで柱を固定するのに袋の端部をあてがうのがよく、床のベース、シェルタは一緒に確実に固定できる。
【００１７】
棒にたいするパネルおよび床の締め付けには、締付け具、コードまははボタン穴、圧力ストラップ、ノブ付きストラップ、ヴェルクロ、スナップフック、封止ジッパ、締付け具付きアイが使用できるが、これらに限定されない。
【００１８】
膜、床およびシェルタは、可能な仕方で袋に固定され、それらは結合、熱封、縫製ついで巻取り、折り畳みされ、圧力ストラップ、締付け具付きストラップ、ヴェルクロ、スナップフック、ジッパ、コードおよびノブにより保持されるが、これらに限定されない。
【００１９】
袋の囲いにはハンドル、ストラップ、ヴェルクロを備え、それらをより良く把持させる。
【００２０】
２つの膜は袋内に相互結合され、それらは前後に固定され、床の膜は前で、シェルタの膜は後である。袋は、装置の前側と後側にも配設される雄受け入れ締付け具３３，４３により格子に取り外し可能に固定される。雌締付け具３５，４５は袋の端部に固定され、雄締付け具と嵌合する。雄締付け具は、格子に、２つの膜、床７，シェルタ８を含みある数の袋１１を載設するため格子の大部分または全体に配設され、袋が全体にないため装置を軽くさせ、テントを所望の位置に設定するよう選択できる。ハンドル４も同じで、それらは同じ種類の雄／雌締付け具により取り外し可能とされる。
【００２１】
床とシェルタの膜を含む袋のためのこれら取り外し可能な締付け具は、オリフィス３６を有する、たとえば半円推状の雌受け入れ片である。それらは棒に固定される。受け入れ片において、引張りタブ、押しボタン３４付きばねタブ系は、たとえば、嵌合する。このボタンはオリフィス内に合し袋を格子に固定する（図１１ａ，１１ｂ，１１ｃ）。実施例の変形は、袋を位置決めする空間で、ばね４３を形成する所に折り畳まれるタブである。このタブは、この目的のため棒に固定される雌受け入れ片に設けられる２つのオリフィス３６に嵌合する２つのラグ４４を備える（図１２ａ，１２ｂ）。雄締付け具は袋の端部に、または、たとえば、袋の下に固定される柔軟板片の端部に取り付けられ、変形例では、これは袋の寸法を許容する長さに調節でき、この片は２つの開口端付きヘリに螺合されるが、これに限定されない。
【００２２】
同形式の受け入れ片はハンドルを取り外し可能に締付けるようにされ、２つの受け入れ締付け具は結合され、板または型に熱封され、ついで締付け具付き板は結合され、棒に熱封される。ハンドルを後退させボタン３４またはタブ４３を押圧することによって、ハンドル４は片側からついで他側から離脱される。
【００２３】
この形式の締付け具は、止め、直立柱２２を格子に固定するのに適合され得る。また安全ベルトのクリップ、ジッパも使用できる。これらの例は限定されない。
【００２４】
袋のすべての締付け具、ハンドル、止め、シェルタの直立柱、床の締め付け具は、格子の２側に配設される。
【００２５】
変形例：袋は、受け入れ片としての袋の、および格子に接合されたチッシュ片２３に固定される雌シールビード２６の縁部に沿って固定されるスリット３２を備えるチューブからなる締付け具により取り外し可能とされる。シールビード２６は、チューブの内側のスリットにより滑り動く。シールビードは、チッシュの延長部またはチッシュの囲い内に直角に固定され得る（図９ａ，９ｂ，９ｃ）。
【００２６】
変形例：袋は、網（図１０ｃ）、袋の区分およびアイ２９を備える棒を通すことにより接合される網の区分（図１０ｂ）に直列に沿い全体を固定する締付け具３１（図１０ａ）と柔軟で堅くまたは弾性チューブ区分２８（図１０ａ）を有する袋１１上の締付け具により取り外し可能とされる。
【００２７】
安全ベルトは、各縁部に固定されるスナップフックにより取り外し可能とされ、これによりそれらは端から端まで載置されて、鎖を生じるが、これに限定されない。
【００２８】
筏を逆にするには、筏の裏側の袋とハンドルの場所をなんとかして示さねばならず、これにより袋を見出し離脱する時間を節約することになる。
【００２９】
重み要素は、重み要素を安定化するため、各ストリップ、リード３０の囲い内で、区分を形成する開口テッシュ片２７により形成され、アコーデオン４１およびリング４０やスナップフック３９等の手段状のプリーツ部を備える各ストリップの各端部で、ストリップの底部を棒でつり上げ/取りはずしさせて重り要素を形成し、スナップフックにより棒５２上のリングに重り要素を固定することによりこれを解放する。棒５２上のリング４０は、筏の上下の２つのラインに分配されて、重み要素が確実に、常に、筏の下または所要位置に位置するようにしている（図２ａ,２ｂ）。
【００３０】
構造体とともに二重にされる膜は、必要に応じ、一方向弁に結合でき、
空気／ガス発生器により自動的に、または圧力-動力ポンプでの手動により膨張される。
【００３１】
管状構造体は、ある範囲まで折り畳まれるので半柔軟及び（または）接合され、それらは膜の折り目により形成でき、折り目に含まれ、または構造体に接続される。折り目、ヘムにおいて、揺動または連動させる揺動装置を備える、入れ子、関節、曲げうる、パイプ、柔軟棒に通すことができるが、これに限定されない。柔軟なパイプおよび棒は、その丁度製造時に直接取付けできる。
【００３２】
構造体が水により膨張される場合、射出される不凍液を緊急物として備える必要がある。
【００３３】
使用者の選択によれば、揺動装置に取り付けられる入れ子棒を含む袋を備える筏もあり、帆櫂部材とともに櫂部材支持体が棒に設けられ得、モータを固定する位置を設けることもできる。
【００３４】
最大荷重および人数が格子にはっきり示される。
【００３５】
膜、床および（または）シェルタの長さは、１つまたは数個の網を被覆し、装置の全面を見るように決められ得るか、または筏は２つの網のみからなり、シェルタは網を被覆し、床は２つの網を被覆するが、これに限定されず、組み立て技術により、隣接空間との結合により空間を増加させ、好ましくは、シェルタは個々に形成し、それらは所望により装置に配設される。
【００３６】
荷重を支持する大きな網が創成されると、数人が同じ網で対面する２つの列に並んで保持することができ、各端部の最後の２人はがハンドルを把持する。加えて安全ベルトとともに、対面する人は、海が荒れているとき、足対足で支持される。
【００３７】
Ｈ状の構造体は平行六面体に当てはまる。図７に示す方形（または長方形）状の、３側３７の構造体はまた、平行六面体に静止し、その側面の膜１８は起立し、つぎのシェルタの上部に固定される長さとなるためにパネル１８を後進させる蛇腹、加えるにアコーデオン状の膜１７から構成されている。
【００３８】
図８のスパイダー状の構造体もまた、膜が起立し、蛇腹アコーデオン１７は直立柱２２をつぎの空間に延ばすパネル１８から構成されている。
【００３９】
袋が固定される側にハンドルを固定しなくてもよい。空間、間隙の場合、２つのシェルタ間で、封止が、たとえば、ヴェルクロにより、直立柱と屋根の間のストリップを固定することにより確保される。あるパネルまたは屋根には、窓５６を形成する透明膜が設けられる（図６参照）。
【００４０】
棒の直径により、床はハンドルと面一となり、またはハンドルにたいし後方となり、この場合、ハンドル４を通過するボタン穴／スリット２５も設けなければならない（図１）。
【００４１】
使用により、棒は、膨張分野で普通使用される柔軟補強ストリップにより摩擦から保護される。
【００４２】
解放可能、展開可能および固定可能の開口３は、たとえば、各ストリップ上のハンドルとともにヴェルクロのストリップにより、上側からならびに下側から解放可能および固定可能に作られている。ばね、長い腕、広くて把持され得るエルゴノミクスを備えたペンチタイプのやっとこが、ペンチの腕の１つはペンチが水中に落ちないように編み目と接続するリンクを備え、ペンチのジョーは開口の２縁を包囲する。ペンチにより、把持されることができ、その腕、柔軟レバー４６は軸５７にたいし１ブロックに取り付けられ、各々が突出部５１を備え、レバーのこれら突出部５１は、２つの突出部５１に一致する２つのオリフィス４７を備える雌受け入れ片４８に係合し、この形式のペンチは平坦におかれ得る。
【００４３】
救命ボートの標準及び効果的技術によれば、格子は、区分および（または）空気室を形成する内壁により構成され、これら区分は、過圧弁とともに１つまたは数個の一方向弁からなる。
【００４４】
膨張系は通常のものである。この場合、施工者は瓶を引き出すストラップと数個のストラップとを有するシステムを選択する。ストラップは、車輪、プーリ、導管、その他ストラップ、小コードを摺動させる手段により案内される。これら要素は棒に固定され、ストラップ、小コードは単ハンドルに固定され、ループは容器の外側から見える。瓶は各々、保護パウチ内で摺動され、またはストラップまたは通常の手段により固定される。格子は、たてえば、膨張圧を生ずることにより、容器内に、または開口される袋内に延びる。
【００４５】
諸国で承認される必要な標準によれば、装置は、筏の膨張安全、および救命、棒上のコード、梯子、アンカ、完全な装具緊急および救命キット、付属品、反射バンド、櫂部材支持体等に通常使用されるすべての緊急物が確保され得るすべての手段を装備しなければならない。
【００４６】
シェルタの有無、床を形成する膜とともに、格子に固定される袋は、スイミングプールを回復し、日光保護を確実にするために使用できる。
【図面の簡単な説明】
【００４７】
【図１】編み目２を充填した格子１、解放可能、展開可能かつ固定可能の開口３，ハンドル４および安全ベルト５を示す。編み目６側で、ハンドル４，図面の点で示すプレスースタッド９により格子に締結される床膜を露出させるスリット／ボタン穴２５がある、筏８と４つの網を被覆する床７として使用される広がり皮膜とを形成するそれ自身に折り重なる皮膜である、幾分細長開放袋１１を識別できる。また、出入り口開口３８を有する筏８がプレスースタッド９により格子に取付け締結されること、および網上を延長する、プレスースタッド９により固定される床７の区分を観察できる。床７の部位で、安全ベルト５はなされず、それらは床７に復帰して使用されるように外されている。
【図２ａ】ストリップ２７の中心にリード３０を有する蛇腹状アコーデオン４１を備える開口テッシューストリップ２７，スナップフック３９および、ストリップ２７を棒５２に取り付ける端部のリング４０を示す。
【図２ｂ】重み要素５３，中心にリード３０を有する開口テッシューストリップ２７を示し、ストリップが重み要素５３を形成するリング４０に、スナップフック３９により取り付けられる。重み要素を毎回筏の下に載置させる棒５２上の２つのラインに分配される２連のリングを観察できる。
【図３ａ】４つの三角形パネル１３を折り畳まない、Ｈ状の構造体１２を示す。
【図３ｂ】半折り畳み位置におけるＨ状の構造体１２を示す。
【図４】シェルタ８を示し、Ｈ状の２つの構造体１２が所定位置にあり、第２構造体と２つの三角形パネル１３はその各側の一方は左側に折り戻され、第２構造体の第２平行六面体は、ここでは見えない内壁を形成し、シェルタ８のベースは、ここで点９で示すプレスースタッドにより格子１に固定される。ここで、ハンドル４，袋１１および、図面でダッシ線１６で示すジッパを備える出入り開口３８を観察でき、内壁では、締付け具３１は２つのパネルを側面の壁から離脱させ、シェルタのベースは、この例では、点で示すプレスースタッド９により格子に接合される。
【図５】Ｈ状の４つの構造体１２からなるシェルタ８を示し、各側の一方の、第４構造体と２つの三角形１３は左側に折り戻され、ジッパ１６により開放離脱される３つの内壁を形成し、これら壁はここでは見えない。これら構造体は一体に接合されトンネルを形成し、その周辺のベースは、この例では、場所が小点１０で示される、ヴェルクロ１０等閉止手段により格子に固定される。トンネルの端部で、出入り開口３８は識別され、これはダッシュ線で示されるジッパ１６を備え、調節可能な締付け具４２によりシェルタの内壁を開放し、またはエントリを上方に離脱させ、４つの網を占める４つの構造体は安全ベルト５を備える。
【図６】Ｈ状の６つの構造体１２からなるシェルタ８を示し、側面１３の２つの三角形とともにシェルタの端部の２つの構造体は内側から左に折り返され、ジッパにより解放離脱される３つの内壁を形成するが、これら壁はここでは見えず、構造体は三角形方向に位置し、屋根は屋根高さで上下に三角形を固定することにより接合され、シェルタのベースはジッパにより固定される。ハンドル４と安全ベルト５は装置に設けられ、内壁を開放し、またはエントリ、窓５６，６つの網を占める６つの構造体を離脱するためのジッパを備える出入り開口３８を見ることができる。
【図７】３側面３７を有する構造体を示し、第４番目は上部で構造体から除去されてジッパ１６を有する開口を生ずる。２つの横側１８で、構造体を隣接の構造体に接続するため膨張させかつシェルタ鎖を形成させる締付け具３１を備える２つの蛇腹１７を識別でき、ジッパ１６を備える２つの垂直横パネル１８は、開放時に、パネル１８をこれら側面に持ち上げ、すべての側面からシェルタに固定させ、互いに接続されるシェルタを形成し、所望の表面で延長する。ハンドル４と、開放可能、展開可能で固定可能な開口３を見ることができ、シェルタの内側の安全ベルト５が開放されジッパ１６により張られて固定される床７に再度おかれ、一方格子上の他方の安全ベルト５が固定され、シェルタのベースが、コード１４とスタッド１５により格子に、またヴェルクロ１０により直立柱２２に固定されることが観察できる。透明性により開口袋１１を見ることができ、他の袋は例として装置上に設けられる。
【図８】圧力動力ポンプ２０により膨張されるスパイダ１９状の構造体を示し、そのパイプ２１は水中に延長し、ノーズ片２４により直立柱に固定され、２つの直立柱２２は、図中小点で示すヴェルクロ１０により格子に固定される。横パネル１８には、２つの直立柱２２をつぎのシェルタに固定するためシェルタを膨張する締付け具３１を備えるアコーデオン１７状の蛇腹があり、横パネル１８はまた、同じ手段で格子に接合される、シェルタのベース周辺とともにジッパ１６を備え、これらジッパは点線で示される。安全ベルト５はシェルタ内で開放されて使用準備ができ、それらは格子１の台に固定され、開放袋１１はシェルタ内に設けられ、他の袋は網の縁部にあり、床７はジッパにより格子に張られて固定され、コード１４は袋の後側に、また直立柱の縁部、シェルタ、床（床はここでは見えない）に設けられる。
【図９ａ】封止ビード２６により延長される縫製テイシュストリップ２３を示す。
【図９ｂ】周囲に固定封止ビード２６を有する縫製テイシュストリップ２３を示す。
【図９ｃ】スリット３２，およびチューブのスリット３２に通される封止ビード２６を有するチューブを備えた袋１１を示す。
【図１０ａ】チューブ２８の固定区分が設けられる縁部で、かつ２つの締付け具３１の端部に設けられる袋１１を示す。
【図１０ｂ】一端にハンドルが設けられ、他端にアイ２９が設けられる、袋１１近くの棒を示す。
【図１０ｃ】網み目２，開放可能、展開可能で固定可能な開口３，ハンドル４，チューブ区分２８を有する網６を示し、それらは柔軟または堅く、袋１１に固定されるチューブ区分２８をを受け入れるため格子に固定され（図１０ａ参照）、格子に固定される要素に確実に係合し、それらは図１０ｂの棒２９により互いに固定され、全体が図１０ａの袋の端部に固定される２つの締付け具３１により取り付けられる。
【図１１ａ】袋、ハンドル、押しボタン３４を備えるタブ３３用の雌部固定モードを示す。
【図１１ｂ】支持部３５に固定され、オリフィス３６を備える半円状の雌受け入れ片を示す。
【図１１ｃ】オリフィス３５に係合するタブ３３を示し、押しボタン３４はオリフィス３６から後退されている。
【図１２ａ】袋、ハンドル、上から押圧される区分を有し折り畳まれるタブ４３用の他の雌部固定モードを示し、このタブは２つのラグ４４を備える。
【図１２ｂ】ラグ４４が固定のため係合する二つのオリフィス３６を備える雌半円推受け入れ部４５を示す。
【図１３】早急固定／開放例を示し、これは把持できる軸線５７に２つの柔軟なレバー４６により延長される雄部を有し、圧力が開放されると、雌部４８のハッチでしめすように突出部５１がオリフィスに確実に係合する。雄部５４はリンク５５により雌部に接合され、雄部が水中に落ちないようにする。雌はスナップ４９により網目に接合される。
【国際公開パンフレット】
2004523424.tif 000003
2004523424.tif 000004
2004523424.tif 000005
2004523424.tif 000006
2004523424.tif 000007
2004523424.tif 000008
2004523424.tif 000009
2004523424.tif 000010
2004523424.tif 000011
2004523424.tif 000012
2004523424.tif 000013
2004523424.tif 000014
2004523424.tif 000015
2004523424.tif 000016
2004523424.tif 000017
2004523424.tif 000018
2004523424.tif 000019
2004523424.tif 000020
2004523424.tif 000021
2004523424.tif 000022
2004523424.tif 000023
2004523424.tif 000024
2004523424.tif 000025
2004523424.tif 000026
【国際調査報告】
2004523424.tif 000027
2004523424.tif 000028
2004523424.tif 000029
2004523424.tif 000030